(57)【要約】【課題】ドライバーショットでの飛行性能に優れたゴルフボールの提供。【解決手段】  ゴルフボールは、その表面に複数のディンプル１２と、ランド１４とを有する。このゴルフボールはさらに、ディンプル１２及びランド１４の表面に形成された多数の微小突起１８を有する。ディンプル１２の平均深さＦavと上記微小突起の平均高さＨavとは、下記数式（１）を満たす。    Ｈav ／Ｆav ≧ ０．０５０      （１）全てのディンプル１２の面積の合計のゴルフボールの仮想球の表面積に対する比率Ｍ（％）と、ある微小突起１８とこの微小突起１８に隣接する他の微小突起１８との間のピッチＰの平均値Ｐav（μｍ）とは、下記数式（２）を満たす。    Ｍ／ Ｐav ＞０．３      （２）【選択図】図４
2019111005.tif 000002
【特許請求の範囲】
【請求項１】
複数のディンプルと、ランドとを備えたゴルフボールであって、
上記ディンプル及び／又は上記ランドの表面に形成された多数の微小突起をさらに備えており、
上記ディンプルの平均深さＦavと上記微小突起の平均高さＨavとが、下記数式（１）を満たすゴルフボール。
Ｈav ／Ｆav ≧ ０．０５０      （１）
【請求項２】
全てのディンプルの面積の合計の上記ゴルフボールの仮想球の表面積に対する比率Ｍ（％）と、ある微小突起とこの微小突起に隣接する他の微小突起との間のピッチＰの平均値Ｐav（μｍ）とが、下記数式（２）を満たす請求項１に記載のゴルフボール。
Ｍ／ Ｐav ＞０．３      （２）
【請求項３】
ある微小突起とこの微小突起に隣接する他の微小突起との間の、ピッチＰの平均値Ｐavと距離Ｌの平均値Ｌavとが、下記数式（３）を満たす請求項１又は２に記載のゴルフボール。
Ｌav ／Ｐav ＜ ０．９      （３）
【請求項４】
ある微小突起とこの微小突起に隣接する他の微小突起との間のピッチＰの平均値Ｐavが、２００μｍ以下である請求項１から３のいずれかに記載のゴルフボール。
【請求項５】
複数の列を有しており、それぞれの列において複数の上記微小突起が等ピッチで並んでいる請求項１から４のいずれかに記載のゴルフボール。
【請求項６】
本体とこの本体の外側に位置するペイント層とを有しており、
それぞれの微小突起が上記本体の表面形状が反映された形状を有する請求項１から５のいずれかに記載のゴルフボール。
【発明の詳細な説明】
【技術分野】
【０００１】
本発明は、ゴルフボールに関する。詳細には、本発明は、その表面にディンプルを有するゴルフボールに関する。
【背景技術】
【０００２】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００３】
ゴルフボールの飛距離は、キャリーとランとのトータルである。キャリーは、発射地点から落下地点までの距離である。ランは、落下地点から静止地点までの距離である。ショートアイアンでのショットでは、大きなキャリーと小さなランとが望まれている。なぜならば、ショートアイアンでのショットでは、ゴルフプレーヤーは、ゴルフボールを目的地点に静止させるを重視するからである。一方、ドライバーショットでは、大きなキャリーと大きなランとが望まれている。なぜならば、ドライバーショットでは、ゴルフプレーヤーは、ゴルフボールをなるべくピンに近づけたいからである。
【０００４】
ディンプルの深さは、ゴルフボールの空力特性に影響を与える。深いディンプルは、ゴルフボールに働く揚力を抑制する。深いディンプルを有するゴルフボールの弾道は、低い。従ってこのゴルフボールでは、大きなランが得られる。しかし、このゴルフボールのキャリーは、十分ではない。このゴルフボールの飛距離（トータル）には、改善の余地がある。
【０００５】
特開２０１５−１４２５９９公報には、粗さが大きな表面を有するゴルフボールが開示されている。この粗さは、ブラスト処理等によって形成されうる。この粗さは、ディンプルとの相乗効果により、ゴルフボールの空力特性を高める。
【０００６】
特開２０１１−７２７７６公報には、粒子を含む塗料によって形成されたコーティングを有するゴルフボールが開示されている。この粒子は、ディンプルとの相乗効果により、ゴルフボールの空力特性を高める。
【０００７】
特開平２−６８０７７号公報には、その底部に１つの凸部を有するディンプルを備えたゴルフボールが開示されている。この凸部を有するディンプルは、ゴルフボールの空力特性を高める。
【先行技術文献】
【特許文献】
【０００８】
【特許文献１】特開２０１５−１４２５９９公報
【特許文献２】特開２０１１−７２７７６公報
【特許文献３】特開平２−６８０７７号公報
【発明の概要】
【発明が解決しようとする課題】
【０００９】
ゴルフボールに対するゴルフプレーヤーの最大の関心事は、飛距離である。ゴルフプレーヤーは、飛行性能に優れたゴルフボールを求めている。ゴルフプレーヤーは特に、ドライバーショットでの大きな飛距離（トータル）を望んでいる。
【００１０】
本発明の目的は、ドライバーショットでの飛行性能に優れたゴルフボールの提供にある。
【課題を解決するための手段】
【００１１】
本発明に係るゴルフボールは、複数のディンプルと、ランドとを有する。このゴルフボールはさらに、ディンプル又はランドの表面に形成された多数の微小突起を有する。ディンプルの平均深さＦavと微小突起の平均高さＨavとは、下記数式（１）を満たす。
Ｈav ／Ｆav ≧ ０．０５０      （１）
【００１２】
好ましくは、全てのディンプルの面積の合計のゴルフボールの仮想球の表面積に対する比率Ｍ（％）と、ある微小突起とこの微小突起に隣接する他の微小突起との間のピッチＰの平均値Ｐav（μｍ）とは、下記数式（２）を満たす。
Ｍ／ Ｐav ＞０．３      （２）
【００１３】
好ましくは、ある微小突起とこの微小突起に隣接する他の微小突起との間の、ピッチＰの平均値Ｐavと距離Ｌの平均値Ｌavとは、下記数式（３）を満たす。
Ｌav ／Ｐav ＜ ０．９      （３）
【００１４】
好ましくは、ある微小突起とこの微小突起に隣接する他の微小突起との間のピッチＰの平均値Ｐavは、２００μｍ以下である。
【００１５】
ゴルフボールが、微小突起の複数の列を有してもよい。好ましくは、それぞれの列において、複数の微小突起が等ピッチで並ぶ。
【００１６】
ゴルフボールが、本体とこの本体の外側に位置するペイント層とを有してもよい。好ましくは、それぞれの微小突起は、本体の表面形状が反映された形状を有する。
【発明の効果】
【００１７】
本発明に係るゴルフボールでは、微小突起が飛行中のゴルフボールの揚力を抑制する。このゴルフボールの弾道は、高すぎない。従ってこのゴルフボールでは、大きなランが得られる。微小突起は、飛行中のゴルフボールの抗力も抑制する。従ってこのゴルフボールでは、従来のゴルフボールに比べ、キャリーの大幅な低下がない。このゴルフボールでは、大きなトータル飛距離が得られうる。
【図面の簡単な説明】
【００１８】
【図１】図１は、本発明の一実施形態に係るゴルフボールが示された断面図である。
【図２】図２は、図１のゴルフボールが示された拡大正面図である。
【図３】図３は、図２のゴルフボールが示された平面図である。
【図４】図４は、図１のゴルフボールの一部が示された拡大断面図である。
【図５】図５は、図１のゴルフボールの表面の一部が示された拡大斜視図である。
【図６】図６は、図１のゴルフボールの一部が示された拡大断面図である。
【図７】図７は、図６のVII−VII線に沿った断面図である。
【図８】図８は、本発明の実施例１４に係るゴルフボールが示された正面図である。
【図９】図９は、図８のゴルフボールが示された平面図である。
【発明を実施するための形態】
【００１９】
以下、適宜図面が参照されつつ、好ましい実施形態に基づいて本発明が詳細に説明される。
【００２０】
図１に示されたゴルフボール２は、球状のコア４と、このコア４の外側に位置する中間層６と、この中間層６の外側に位置するカバー８とを備えている。コア４、中間層６及びカバー８は、ゴルフボール２の本体１０に含まれる。このゴルフボール２は、その表面に多数のディンプル１２を有している。ゴルフボール２の表面のうちディンプル１２以外の部分は、ランド１４である。図１には示されていないが、このゴルフボール２はさらに、後述されるペイント層を有している。ペイント層は、本体１０の外側に位置している。本体１０が、ワンピース構造、ツーピース構造、フォーピース構造、ファイブピース構造等を有してもよい。
【００２１】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。本実施形態に係るゴルフボール２では、その直径は、４２．７ｍｍである。
【００２２】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００２３】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００２４】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００２５】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００２６】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２７】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジウムイオンが例示される。
【００２８】
アイオノマー樹脂に代えて、又はアイオノマー樹脂と共に、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２９】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００３０】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００３１】
カバー８は、熱可塑性樹脂組成物から成形されている。この樹脂組成物の基材ポリマーとして、アイオノマー樹脂、熱可塑性ポリエステルエラストマー、熱可塑性ポリアミドエラストマー、熱可塑性ポリウレタンエラストマー、熱可塑性ポリオレフィンエラストマー及び熱可塑性ポリスチレンエラストマーが例示される。特に、アイオノマー樹脂が好ましい。アイオノマー樹脂は、高弾性である。アイオノマー樹脂を含むカバー８を有するゴルフボール２は、反発性能に優れる。このゴルフボール２は、ドライバーショットでの飛距離に優れる。中間層６に関して前述されたアイオノマー樹脂が、カバー８に用いられうる。
【００３２】
アイオノマー樹脂と他の樹脂とが併用されてもよい。併用される場合は、反発性能の観点から、アイオノマー樹脂が基材ポリマーの主成分とされる。全基材ポリマーに対するアイオノマー樹脂の比率は、５０質量％以上が好ましく、７０質量％以上がより好ましく、８０質量％以上が特に好ましい。
【００３３】
カバー８の樹脂組成物が、着色剤、充填剤、分散剤、酸化防止剤、紫外線吸収剤、光安定剤、蛍光剤、蛍光増白剤等を適量含んでもよい。ゴルフボール２の色相が白である場合、典型的な着色剤は二酸化チタンである。
【００３４】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００３５】
図２は図１のゴルフボール２が示された拡大正面図であり、図３はその平面図である。前述の取り、このゴルフボール２は、その表面に多数のディンプル１２を有している。それぞれのディンプル１２の輪郭は円である。このゴルフボール２は、直径が４．４０ｍｍであるディンプルＡと、直径が４．３０ｍｍであるディンプルＢと、直径が４．２０ｍｍであるディンプルＣと、直径が３．９５ｍｍであるディンプルＤと、直径が３．５０ｍｍであるディンプルＥとを有している。ディンプル１２の種類数は、５である。ゴルフボール２が円形ディンプル１２に代えて、又は円形ディンプル１２と共に、非円形ディンプルを有してもよい。
【００３６】
ディンプルＡの数は３０個であり、ディンプルＢの数は１４０個であり、ディンプルＣの数は９０個であり、ディンプルＤの数は４０個であり、ディンプルＥの数は４０個である。ディンプル１２の総数は、３４０個である。これらのディンプル１２とランド１４とにより、ディンプルパターンが形成されている。
【００３７】
図４には、ディンプル１２の中心及びゴルフボール２の中心を通過する平面に沿った、ゴルフボール２の断面が示されている。図４における上下方向は、ディンプル１２の深さ方向である。図４において二点鎖線１６で示されているのは、仮想球である。仮想球１６の表面は、ディンプル１２及び微小突起１８（後に詳説）が存在しないと仮定されたときのゴルフボール２の表面である。仮想球１６の直径は、ゴルフボール２の直径と同一である。ディンプル１２は、仮想球１６の表面から凹陥している。ランド１４は、仮想球１６の表面と一致している。
【００３８】
図４において矢印Ｄｍで示されているのは、ディンプル１２の直径である。この直径Ｄｍは、ディンプル１２の両側に共通する接線Ｔｇが画かれたときの、一方の接点Ｅｄと他方の接点Ｅｄとの距離である。接点Ｅｄは、ディンプル１２のエッジでもある。エッジＥｄは、ディンプル１２の輪郭を画定する。
【００３９】
それぞれのディンプル１２の直径Ｄｍは、２．０ｍｍ以上６．０ｍｍ以下が好ましい。直径Ｄｍが２．０ｍｍ以上であるディンプル１２は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１２は、実質的に球であるというゴルフボール２の本質を損ねない。この観点から、直径Ｄｍは５．５ｍｍ以下がより好ましく、５．０ｍｍ以下が特に好ましい。
【００４０】
非円形ディンプルの場合、この非円形ディンプルの面積と同じ面積を有する円形ディンプル１２が仮想される。この仮想されたディンプル１２の直径が、非円形ディンプルの直径と見なされる。
【００４１】
図４において両矢印Ｆで示されているのは、ディンプル１２の深さである。この深さＦは、ディンプル１２の最深部と仮想球１６の表面との距離である。全てのディンプル１２の深さＦが合計され、この合計がディンプル１２の総数で除されることにより、平均深さＦavが算出される。平均深さＦavは、２００μｍ以上３００μｍ以下が好ましい。平均深さＦavが２００μｍ以上であるゴルフボール２では、大きなランが達成されうる。この観点から、平均深さＦavは２０５μｍ以上がより好ましく、２１０μｍ以上が特に好ましい。平均深さＦavが３００μｍ以下であるゴルフボール２では、大きなキャリーが達成されうる。この観点から、平均深さＦavは２９５μｍ以下がより好ましく、２９０μｍ以下が特に好ましい。
【００４２】
ディンプル１２の面積ｓは、無限遠からゴルフボール２の中心を見た場合の、ディンプル１２の輪郭に囲まれた領域の面積である。円形ディンプル１２の場合、面積Ｓは下記数式によって算出される。
S = (Dm / 2)２* π
【００４３】
本実施形態に係るゴルフボール２では、ディンプルＡの面積は１５．２０ｍｍ２であり、ディンプルＢの面積は１４．５２ｍｍ２であり、ディンプルＣの面積は１３．８５ｍｍ２であり、ディンプルＤの面積は１２．２５ｍｍ２であり、ディンプルＥの面積は９．６２ｍ２である。
【００４４】
本発明では、全てのディンプル１２の面積Ｓの合計の、仮想球１６の表面積に対する比率は、占有率Ｍと称される。十分な乱流化が得られるとの観点から、占有率Ｍは７０．０％以上が好ましく、７５．０％以上がより好ましく、８０．０％以上が特に好ましい。占有率は、９５％以下が好ましい。本実施形態に係るゴルフボール２では、ディンプル１２の合計面積は４６１１．０ｍｍ２である。このゴルフボール２の仮想球１６の表面積は５７２８．０ｍｍ２なので、占有率は８０．５％である。
【００４５】
十分な占有率が達成されるとの観点から、ディンプル１２の総数Ｎは２５０個以上が好ましく、２８０個以上がより好ましく、３００個以上が特に好ましい。個々のディンプル１２が乱流化に寄与しうるとの観点から、総数Ｎは５００個以下が好ましく、４５０個以下がより好ましく、４００個以下が特に好ましい。
【００４６】
本発明において「ディンプルの容積」とは、仮想球１６の表面とディンプル１２の表面とに囲まれた部分の容積を意味する。大きなランが達成されうるとの観点から、ディンプル１２の総容積は４５０ｍｍ３以上が好ましく、４７０ｍｍ３以上がより好ましく、４９０ｍｍ３以上が特に好ましい。大きなキャリーが達成されうるとの観点から、総容積は６３０ｍｍ３以下が好ましく、６１０ｍｍ３以下がより好ましく、６００ｍｍ３以下が特に好ましい。
【００４７】
図５は、図１のゴルフボール２の表面の一部が示された拡大斜視図である。図５から明らかなように、このゴルフボール２は、その表面に多数の微小突起１８を備えている。図４から明らかなように、微小突起１８は、ディンプル１２の表面に形成されており、かつ、ランド１４の表面にも形成されている。それぞれの微小突起１８は、ゴルフボール２の半径方向外向きに起立している。微小突起１８が、ディンプル１２の表面のみに形成されてもよい。微小突起１８が、ランド１４の表面のみに形成されてもよい。
【００４８】
この微小突起１８は、飛行中のゴルフボール２の揚力及び抗力を抑制する。揚力の抑制により、大きなランが達成されうる。抗力の抑制により、大きなキャリーが達成されうる。このゴルフボール２は、ドライバーショットでの飛行性能に優れる。
【００４９】
図５には、第一列Ｉに属する３つの微小突起１８ａと、第二列IIに属する３つの微小突起１８ｂとが示されている。図５において矢印Ａで示される方向は、列の延在方向である。それぞれの列において、微小突起１８は、等ピッチで並んでいる。換言すれば、微小突起１８は規則的に並んでいる。ゴルフボール２の表面の一部において、微小突起１８が不規則に並んでもよい。
【００５０】
第一列Ｉに属する微小突起１８ａと第二列IIに属する微小突起１８ｂとが、ジグザグに配置されてもよい。換言すれば、第一列Ｉに属する微小突起１８ａの位置が、延在方向Ａにおいて、第二列IIに属する微小突起１８ｂの位置とずれてもよい。
【００５１】
図６は、図１のゴルフボール２の一部が示された拡大断面図である。図６には、本体１０の一部であるカバー８と、ペイント層２０とが示されている。図６には、微小突起１８が示されている。カバー８は、凸部２２を有している。微小突起１８は、この凸部２２とペイント層２０とによって形成されている。凸部２２がゴルフボール２の半径方向外向き（図６における上向き）に起立しているので、微小突起１８もゴルフボール２の半径方向外向きに起立している。換言すれば、微小突起１８は、本体１０（カバー８）の表面形状が反映された形状を有する。図６において符号２４で示されているのは、微小突起１８の底面である。
【００５２】
図７は、図６のVII−VII線に沿った断面図である。図７には、微小突起１８の底面２４が示されている。底面２４は、カバー８とペイント層２０とを含んでいる。
【００５３】
図７には、第一の微小突起１８ｃの底面２４ｃと共に、二点鎖線にて、第二の微小突起１８ｄの底面２４ｄも示されている。第二の微小突起１８ｄは、第一の微小突起１８ｃに隣接している。図７において二点鎖線２６で示されているのは、第一の微小突起１８ｃの底面２４ｃの重心Ｏｃと、第二の微小突起１８ｄの底面２４ｄの重心Ｏｄとを通過する直線である。
【００５４】
図７において矢印Ｐで示されているのは、ピッチである。ピッチＰは、第一の微小突起１８ｃと、この第一の微小突起１８ｃに隣接する第二の微小突起１８ｄとの距離である。ピッチＰは、第一の微小突起１８ｃの底面２４ｃの重心Ｏｃと、第二の微小突起１８ｄの底面２４ｄの重心Ｏｄとの距離である。「第一の微小突起１８ｃに隣接する第二の微小突起１８ｄ」とは、第一の微小突起１８ｃの周辺に存在する微小突起１８のうち、第一の微小突起１８ｃとの距離Ｌ（後に詳説）が最も小さい微小突起１８ｄである。
【００５５】
それぞれの微小突起１８に、１つのピッチＰが決定される。全ての微小突起１８のピッチＰが合計され、この合計が微小突起１８の数で除されることにより、平均ピッチＰavが算出される。平均ピッチＰavは、１μｍ以上２００μｍ以下が好ましい。平均ピッチＰavが１μｍ以上であるゴルフボール２では、微小突起１８が揚力を抑制しすぎない。このゴルフボール２では、大きなキャリーが達成されうる。この観点から、平均ピッチＰavは５μｍ以上がより好ましく、１０μｍ以上が特に好ましい。平均ピッチＰavが２００μｍ以下であるゴルフボール２では、微小突起１８が揚力及び抗力を抑制する。このゴルフボール２では、大きなキャリー及びランが達成されうる。この観点から、平均ピッチＰavは１５０μｍ以下がより好ましく、１００μｍ以下が特に好ましい。
【００５６】
図７において矢印Ｌで示されているのは、第一の微小突起１８ｃとこの第一の微小突起１８ｃに隣接する第二の微小突起１８ｄとの間の距離である。距離Ｌは、ピッチＰから、第一の微小突起１８ｃの底面２４ｃの半径、及び第二の微小突起１８ｄの底面２４ｄの半径が減じられた値である。それぞれの微小突起１８に、１つの距離Ｌが決定される。全ての微小突起１８の距離Ｌが合計され、この合計が微小突起１８の数で除されることにより、平均距離Ｌavが算出される。平均距離Ｌavは、０．１μｍ以上１８０μｍ以下が好ましい。平均距離Ｌavが０．１μｍ以上であるゴルフボール２では、微小突起１８が揚力を抑制しすぎない。このゴルフボール２では、大きなキャリーが達成されうる。この観点から、平均距離Ｌavは１μｍ以上がより好ましく、３μｍ以上が特に好ましい。平均距離Ｌavが１８０μｍ以下であるゴルフボール２では、微小突起１８が揚力及び抗力を抑制する。このゴルフボール２では、大きなキャリー及びランが達成されうる。この観点から、平均距離Ｌavは１２０μｍ以下がより好ましく、７０μｍ以下が特に好ましい。
【００５７】
図６において矢印Ｈで示されているのは、微小突起１８の高さである。高さＨは、ゴルフボール２の半径方向に沿って測定される。全ての微小突起１８の高さＨが合計され、この合計が微小突起１８の数で除されることにより、平均高さＨavが算出される。平均高さＨavは、８μｍ以上５０μｍ以下が好ましい。平均高さＨavが８μｍ以上であるゴルフボール２では、微小突起１８が揚力及び抗力を抑制する。このゴルフボール２では、大きなキャリー及びランが達成されうる。この観点から、平均高さＨavは９μｍ以上がより好ましく、１０μｍ以上が特に好ましい。平均高さＨavが５０μｍ以下であるゴルフボール２では、微小突起１８が揚力を抑制しすぎない。このゴルフボール２では、大きなキャリーが達成されうる。この観点から、平均高さＨavは４５μｍ以下がより好ましく、４０μｍ以下が特に好ましい。
【００５８】
全ての微小突起１８の底面２４の面積Ｑが合計され、この合計が微小突起１８の数で除されることにより、平均面積Ｑavが算出される。平均面積Ｑavは、１μｍ２以上３５０００μｍ２以下が好ましい。平均面積Ｑavが１μｍ２以上であるゴルフボール２では、微小突起１８が揚力及び抗力を抑制する。このゴルフボール２では、大きなキャリー及びランが達成されうる。この観点から、平均面積Ｑavは１０μｍ２以上がより好ましく、２０μｍ２以上が特に好ましい。平均面積Ｑavが３５０００μｍ２以下であるゴルフボール２では、微小突起１８が揚力を抑制しすぎない。このゴルフボール２では、大きなキャリーが達成されうる。この観点から、平均面積Ｑavは３００００μｍ２以下がより好ましく、２５０００μｍ２以下が特に好ましい。
【００５９】
全ての微小突起１８の底面２４の面積Ｑの合計の、仮想球１６の表面積に対する比率は、５％以上８０％以下が好ましい。この比率が５％以上であるゴルフボール２では、微小突起１８が揚力及び抗力を抑制する。このゴルフボール２では、大きなキャリー及びランが達成されうる。この観点から、この比率は１５％以上がより好ましく、２０％以上が特に好ましい。この比率が８０％以下であるゴルフボール２では、微小突起１８が揚力を抑制しすぎない。このゴルフボール２では、大きなキャリーが達成されうる。この観点から、この比率は６０％以下がより好ましく、５０％以下が特に好ましい。
【００６０】
微小突起１８の総数は、１０万個以上１０００万個以下が好ましい。総数が１０万個以上であるゴルフボール２では、微小突起１８が揚力及び抗力を抑制する。このゴルフボール２では、大きなキャリー及びランが達成されうる。この観点から、総数は５０万個以上がより好ましく、１００万個以上が特に好ましい。総数が１０００万個以下であるゴルフボール２では、微小突起１８が揚力を抑制しすぎない。このゴルフボール２では、大きなキャリーが達成されうる。この観点から、総数は７００万個以下がより好ましく、５００万個以下が特に好ましい。
【００６１】
このゴルフボール２では、ディンプル１２の平均深さＦavと微小突起１８の平均高さＨavとは、下記数式（１）を満たす。
Ｈav ／Ｆav ≧ ０．０５０      （１）
換言すれば、平均高さＨavと平均深さＦavとの比（Ｈav／Ｆav）は、０．０５０以上である。この比（Ｈav／Ｆav）が０．０５０以上であるゴルフボール２では、微小突起１８が揚力及び抗力を抑制する。このゴルフボール２では、大きなキャリー及びランが達成されうる。この観点から、比（Ｈav／Ｆav）は０．０５５以上がより好ましく、０．０６０以上が特に好ましい。比（Ｈav／Ｆav）は、０．１００以下が好ましい。比（Ｈav／Ｆav）が０．１００以下であるゴルフボール２では、微小突起１８が揚力を抑制しすぎない。このゴルフボール２では、大きなキャリーが達成されうる。この観点から、比（Ｈav／Ｆav）は０．０９５以下がより好ましく、０．０９０以下が特に好ましい。
【００６２】
好ましくは、このゴルフボール２では、占有率ＭとピッチＰの平均値Ｐavとは、下記数式（２）を満たす。
Ｍ／ Ｐav ＞０．３      （２）
換言すれば、占有率Ｍと平均値Ｐavとの比（Ｍ／Ｐav）は、０．３より大きい。比（Ｍ／Ｐav）が０．３より大きいゴルフボール２では、微小突起１８が揚力及び抗力を抑制する。このゴルフボール２では、大きなキャリー及びランが達成されうる。この観点から、比（Ｍ／Ｐav）は０．５以上がより好ましく、０．７以上が特に好ましい。比（Ｍ／Ｐav）は、１０．０以下が好ましい。比（Ｍ／Ｐav）が１０．０以下であるゴルフボール２では、微小突起１８が揚力を抑制しすぎない。このゴルフボール２では、大きなキャリーが達成されうる。さらに、比（Ｍ／Ｐav）が１０．０以下であるゴルフボール２のためのモールドは、製作が容易である。これらの観点から、比（Ｍ／Ｐav）は９．０以下がより好ましく、８．０以下が特に好ましい。
【００６３】
好ましくは、ピッチＰの平均値Ｐavと距離Ｌの平均値Ｌavとは、下記数式（３）を満たす。
Ｌav ／Ｐav ＜ ０．９      （３）
換言すれば、平均値Ｌavと平均値Ｐavとの比（Ｌav／Ｐav）は、０．９未満である。比（Ｌav／Ｐav）が０．９未満であるゴルフボール２では、微小突起１８が揚力及び抗力を抑制する。このゴルフボール２では、大きなキャリー及びランが達成されうる。この観点から、比（Ｌav／Ｐav）は０．８以下がより好ましく、０．７以下が特に好ましい。比（Ｌav／Ｐav）は、０．１以上が好ましい。比（Ｌav／Ｐav）が０．１以上であるゴルフボール２では、微小突起１８が揚力を抑制しすぎない。このゴルフボール２では、大きなキャリーが達成されうる。これらの観点から、比（Ｌav／Ｐav）は０．２以上がより好ましく、０．３以上が特に好ましい。
【００６４】
前述の通り、微小突起１８は、本体１０の凸部２２とペイント層２０とを含んでいる（図６参照）。従って、ゴルフクラブで打撃されたり、地面に衝突することによって、ペイント層２０が本体１０から剥離しても、微小突起１８の形状が概ね維持される。よって、空力特性が概ね維持される。この微小突起１８の形成に、特殊なペイントは必要ない。このゴルフボール２は、容易に製造されうる。
【００６５】
前述の通り、微小突起１８はディンプル１２の表面に形成されており、かつ、ランド１４の表面にも形成されている（図４参照）。従ってこのゴルフボール２は、空力特性に極めて優れる。微小突起１８が、ディンプル１２の表面のみに形成されてもよい。微小突起１８が、ランド１４の表面のみに形成されてもよい。
【００６６】
図４−５に示された微小突起１８の形状は、概ね円柱である。ゴルフボール２が、他の形状の微小突起１８を有してもよい。他の形状として、角柱、角錐台、円錐台、角錐及び円錐が例示される。微小突起１８の形状が、球の一部であってもよい。微小突起１８が、複数の立体が組み合わされた形状を有してもよい。ゴルフボール２が、互いに形状の異なる複数種類の微小突起１８を有してもよい。ゴルフボール２が、互いにサイズの異なる複数種類の微小突起１８を有してもよい。
【００６７】
本体１０の凸部２２は、本体１０の成形時に同時に成形される。この成形には、成形型が用いられる。この成形型のキャビティ面は、多数の微小な凹部を有している。それぞれの凹部は、凸部２２の形状がほぼ反転した形状を有する。
【００６８】
この成形型は、ディンプル１２を有するマスター型から得られうる。このディンプル１２の形状が転写されて、成形型にピンプルが形成される。この成形型に、切削加工、レーザー照射加工等により、微小凹みが形成される。この成形型から得られたゴルフボール２では、ピンプルの形状が転写されてディンプル１２が形成され、微小凹みの形状が転写されて微小突起１８が形成される。
【００６９】
マスター型からの転写ではなく、切削加工により、ダイレクトに、ピンプルを有する成形型が製作されてもよい。この場合も、切削加工、レーザー照射加工等により、成形型に微小凹みが形成される。
【実施例】
【００７０】
以下、実施例によって本発明の効果が明らかにされるが、この実施例の記載に基づいて本発明が限定的に解釈されるべきではない。
【００７１】
［実施例１］
１００質量部のハイシスポリブタジエン（ＪＳＲ社の商品名「ＢＲ−７３０」）、２７．４質量部のアクリル酸亜鉛、５質量部の酸化亜鉛、適量の硫酸バリウム、０．５質量部のジフェニルジスルフィド及び０．９質量部のジクミルパーオキサイドを混練し、ゴム組成物を得た。このゴム組成物を共に半球状キャビティを備えた上型及び下型からなる金型に投入し、１６０℃で２０分間加熱して、直径が３８．２０ｍｍであるコアを得た。所定の質量のコアが得られるように、硫酸バリウムの量を調整した。
【００７２】
２６質量部のアイオノマー樹脂（三井デュポンポリケミカル社の商品名「ハイミランＡＭ７３３７」）、２６質量部の他のアイオノマー樹脂（三井デュポンポリケミカル社の商品名「ハイミランＡＭ７３２９」）、４８質量部のスチレンブロック含有熱可塑性エラストマー（三菱化学社の商品名「ラバロンＴ３２２１Ｃ」）、４質量部の二酸化チタン（Ａ２２０）及び０．２質量部の光安定剤光（城北化学工業社の商品名「ＪＦ−９０」）を二軸混練押出機で混練し、樹脂組成物を得た。この樹脂組成物を射出成形法にてコアの周りに被覆し、中間層を形成した。この中間層の厚みは、１．００ｍｍであった。
【００７３】
４７質量部のアイオノマー樹脂（三井デュポンポリケミカル社の商品名「ハイミラン１５５５」）、４６質量部の他のアイオノマー樹脂（三井デュポンポリケミカル社の商品名「ハイミラン１５５７」）、７質量部のスチレンブロック含有熱可塑性エラストマー（前述の「ラバロンＴ３２２１Ｃ」）、４質量部の二酸化チタン（Ａ２２０）及び０．２質量部の光安定剤光（前述の「ＪＦ−９０」）を二軸混練押出機で混練し、樹脂組成物を得た。キャビティ面に多数のピンプル及び微小凹みを有するファイナル金型に、コア及び中間層からなる球を投入した。上記樹脂組成物を射出成形法にて中間層の周りに被覆し、カバーを形成した。このカバーの厚みは、１．２５ｍｍであった。カバーには、ピンプルの形状が反転した形状を有するディンプルが形成された。カバーにはさらに、微小凹みの形状が反転した形状を有する微小な凸部が形成された。
【００７４】
このカバーの周りに二液硬化型ポリウレタンを基材とするクリアー塗料を塗装し、直径が約４２．７ｍｍであり質量が約４５．６ｇである実施例１のゴルフボールを得た。このゴルフボールは、表面に多数の微小突起を有している。これらの微小突起の仕様が、下記の表１に示されている。
【００７５】
［実施例２−１７及び比較例１−７］
ファイナル金型を変更し、下記の表２−７に示される仕様のディンプル及び微小突起を形成した他は実施例１と同様にして、実施例２−１７及び比較例１−７のゴルフボールを得た。ディンプルの仕様が、下記の表１に示されている。比較例１、２、４及び６に係るゴルフボールは、微小突起を有していない。
【００７６】
［フライトテスト］
ゴルフラボラトリー社のスイングマシンに、ドライバー（ダンロップスポーツ社の商品名「ＸＸＩＯ」、シャフト硬度：Ｒ、ロフト角：１０．５°）を装着した。ヘッド速度が４０ｍ／ｓｅｃである条件でゴルフボールを打撃して、キャリー及びランを測定した。テスト時は、ほぼ無風であった。２０回の測定で得られたデータの平均値が、下記の表２−７に示されている。
【００７７】
【表１】
2019111005.tif 000003
【００７８】
【表２】
2019111005.tif 000004
【００７９】
【表３】
2019111005.tif 000005
【００８０】
【表４】
2019111005.tif 000006
【００８１】
【表５】
2019111005.tif 000007
【００８２】
【表６】
2019111005.tif 000008
【００８３】
【表７】
2019111005.tif 000009
【００８４】
表２−７に示されるように、各実施例のゴルフボールは、ドライバーショットでの飛行性能に優れている。この評価結果から、本発明の優位性は明らかである。
【産業上の利用可能性】
【００８５】
前述の微小突起は、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【００８６】
２・・・ゴルフボール
４・・・コア
６・・・中間層
８・・・カバー
１０・・・本体
１２・・・ディンプル
１４・・・ランド
１６・・・仮想球
１８・・・微小突起
２０・・・ペイント層
２２・・・凸部
２４・・・底面
【図１】
2019111005.tif 000010
【図２】
2019111005.tif 000011
【図３】
2019111005.tif 000012
【図４】
2019111005.tif 000013
【図５】
2019111005.tif 000014
【図６】
2019111005.tif 000015
【図７】
2019111005.tif 000016
【図８】
2019111005.tif 000017
【図９】
2019111005.tif 000018